(57)【要約】【課題】立体感を有し視認性を向上させることのできる車両用表示装置を提供する。【解決手段】複数の計器１〜４が設けられた車両用表示装置において、各計器１〜４は、意匠表示板１３と、この意匠表示板１３に重ねられたアクリル板１２とからなる文字盤１６と、この文字盤１６を明灯するＬＥＤ１４と、指針１１とを備え、且つ、各計器１〜４の文字盤１６の盤面は、互いに隣あうものどうしの一部を重複して配置されることを特徴とする。【選択図】      図１
2006007854.tif 000002
【特許請求の範囲】
【請求項１】
複数の計器が設けられた車両用表示装置において、
前記各計器は、意匠表示板と、該意匠表示板に重ねられた導光板からなる文字盤と、該文字盤を明灯する照明手段と、指針とを備え、且つ、前記各計器の文字盤の盤面は、互いに隣り合うものどうしの一部を重複して配置されることを特徴とする車両用表示装置。
【請求項２】
請求項１に記載の車両用表示装置であって、
前記導光板は前記意匠表示板が載置される平面部と、その周囲に突出して設けられた周面部からなり、前記周面部はその周方向に沿って一端から他端に向かうに従って前記文字盤の厚さ方向に傾斜することを特徴とする車両用表示装置。
【請求項３】
請求項２に記載の車両用表示装置であって、
前記平面部の一部を重複される他の文字盤の周面部の外周形状に沿って切り欠いたことを特徴とする車両用表示装置。
【発明の詳細な説明】
【技術分野】
【０００１】
本発明は、車両に搭載される速度計、タコメータ等の計器を有する車両用表示装置に係り、特に、複数の計器を立体感を持たせて表示する技術に関する。
【背景技術】
【０００２】
例えば、特開２００２−３０２２６２号公報に開示されているように、車両に搭載される速度計、或いはタコメータ等の指針付きの計器は、運転席前側に設けられるインパネ（インストールメントパネル）内に搭載されており、背面側から光を照射することにより計器全体を明灯し、夜間時、或いはトンネル内走行時等においての視認性を向上させている。
【特許文献１】特開２００２−３０２２６２号公報
【発明の開示】
【発明が解決しようとする課題】
【０００３】
しかしながら、従来における指針付きの計器は、インパネ内にそれぞれ別個に設けられているので、立体感に欠け、斬新な表示態様であるとはいえず、より立体感を持った表示装置の考案が望まれていた。
【０００４】
この発明は、このような従来の課題を解決するためになされたものであり、その目的とするところは、立体感を有し視認性を向上させることのできる車両用表示装置を提供することにある。
【課題を解決するための手段】
【０００５】
上記目的を達成するため、本願請求項１に記載の発明は、複数の計器が設けられた車両用表示装置において、前記各計器は、意匠表示板と、該意匠表示板に重ねられた導光板からなる文字盤と、該文字盤を明灯する照明手段と、指針とを備え、且つ、前記各計器の文字盤の盤面は、互いに隣り合うものどうしの一部を重複して配置されることを特徴とする。
【０００６】
請求項２に記載の発明は、前記導光板は前記意匠表示板が載置される平面部と、その周囲に突出して設けられた周面部からなり、前記周面部はその周方向に沿って一端から他端に向かうに従って前記文字盤の厚さ方向に傾斜することを特徴とする。
【０００７】
請求項３に記載の発明は、前記平面部の一部を重複される他の文字盤の周面部の外周形状に沿って切り欠いたことを特徴とする。
【発明の効果】
【０００８】
本願請求項１の発明では、複数の計器が有する文字盤の互いに隣り合うものどうしの一部が重複して配置され、且つ、各文字盤が有する導光板が透明性を有するので、重複した部分において、裏側に置かれた計器の文字盤が表側に置かれた計器の文字盤を通して若干透けて見えるようになり、各計器に立体感を持たせることができ、視認性を向上させることができる。
【０００９】
請求項２の発明では、導光板の平面部に意匠表示板が載置され、その周囲に形成された周面部が、左右方向に傾斜した構成を持つことにより、隣り合う文字盤どうしが重複するように配置されるので、周囲部を透過して、その裏面側に配置された隣接する文字盤が見えるようになる。これにより、上述した請求項１と同様に各計器に立体感を持たせることができる。加えて、複数の計器を配置する際に、奥行き方向の距離を短くすることができるので、表示装置の小型化を図ることができる。
【００１０】
請求項３の発明では、各計器の文字盤のうち、隣接する計器の文字盤の意匠表示板により隠れる部分が切り欠かれるので、材料を削減することができ、小型、軽量化を図ることができる。
【発明を実施するための最良の形態】
【００１１】
以下、本発明の実施形態を図面に基づいて説明する。図１は、本発明の一実施形態に係る車両用表示装置の構成を示す正面図、図２は上面図、図３は下面図、図３は側面図をそれぞれ示している。
【００１２】
図１に示すように、この車両用表示装置は、車両運転席近傍に設けられたインパネに設けられており、右側から順に計器としての速度計１、タコメータ２、燃料計３、温度計４が備えられている。各計器１〜４は、それぞれ指針１１を有しており、指針１１が回転して計器の文字盤１６に書き込まれている数値を指示することにより、各種のデータを車両の運転者に通知することができる。
【００１３】
また、図３に示すように、各計器１〜４は、同一の取り付け板１５に固定されている。そして、各計器１〜４は、透明なアクリル板（導光板）１２と該アクリル板１２の前面側に設けられた意匠表示板１３からなる文字盤１６を備えている。
【００１４】
アクリル板１２は、取り付け板１５に対して平行に配置される平面部１２ｂと、該平面部１２ｂの周囲部に形成された周面部１２ａから構成され、周面部１２ａは、取り付け板１５に対して所定の角度傾斜して配置されている。つまり、図２に示すように、各計器１〜４が有する周面部１２ａは、左右方向に向けて若干角度（１〜２°）傾斜して配置されている。即ち、周面部１２ａは、その周方向に沿って一端から他端に向かうに従って文字盤１６の厚さ方向に傾斜している。そして、互いに隣り合う計器１〜４のアクリル板１２は、その一部が重複して配置されている。
【００１５】
また、意匠表示板１３は、図３に示すように、アクリル板１２の平面部１２ｂ上に設けられている。更に、各文字盤１６は、図１の符号Ｓに示すように、右側の端面が、右側に隣接する文字盤１６の周面部の外周形状に沿って切り欠かれている。従って、計器１の左側となる周面部１２ａから、左側に隣接する計器２の意匠表示板１３の右側の一部が透過して見えるようになり、立体感を得ることができる。
【００１６】
そして、アクリル板１２の内側となる端面には、照明用のＬＥＤ（照明手段）１４が複数個取り付けられており、該ＬＥＤ１４を点灯させることにより、透明なアクリル板１２内に光を照射してアクリル板１２内全体を明灯させて、意匠表示板１３を含めた文字盤１６全体を明灯させる。
【００１７】
次に、上記のように構成された本実施形態に係る車両用表示装置の、作用について説明する。車両のイグニッションスイッチのオンに連動して、各計器１〜４に設けられたＬＥＤ１４を点灯させると、該ＬＥＤ１４より出射された光がアクリル板１２内にて乱反射し、アクリル板１２内全体が明灯する。この際、アクリル板１２の外周面となる部分で多くの乱反射が起こるので、図１に示す各計器１〜４の周囲部１ａ〜４ａ（図１参照）が際立って明るくなる。
【００１８】
更に、各計器１〜４が有するアクリル板１２の周面部１２ａは透明性を有しているので、互いに重複して配置されてる部分の、裏面側となる文字盤１６の意匠表示板１３が、透けて見えるようになり、立体感のある斬新な表示形態を得ることができる。
【００１９】
このようにして、本実施形態に係る車両用表示装置では、４つの計器１〜４を全て明灯させた際に、アクリル板１２の外周部が明灯し、際立って見えるので、計器の仕切線を容易に判断することができ、各計器１〜４の指針位置を容易に読み取ることができる。
【００２０】
また、互いに隣り合う計器１〜４のうち、一部が重複して配置され、更に、アクリル板１２の周面部１２ａが透明性を有しているので、裏面側となる文字盤１６の光が運転者の視線に入るので、表示装置全体に立体感、及び透明感を持たせることができ、視認性を向上させることができるばかりでなく、臨場感あふれる極めて斬新な表示態様を実現することができる。
【００２１】
更に、速度計１、或いはタコメータ２といった、運転時に頻繁に見る必要のある計器が立体表示されるので、運転者にとって使い勝手の良い表示態様を提供することができる。
【００２２】
更に、４つの計器１〜４が有するアクリル板１２の周面部が、取り付け板１５に対し左右方向に向けて若干角度だけ傾斜させることにより、隣合う文字盤１６どうしを重複して配置させるので、表示装置全体の奥行き方向の長さが大きくならず、全体として小型化を図ることができる。
【００２３】
また、各計器１〜４の文字盤１６のうち、隣接する計器の文字盤１６意匠表示板１２による隠れる部分が切り欠かれるので、材料を削減することができ、装置全体の小型化、軽量化を図ることができる。
【００２４】
以上、本発明の車両用表示装置を図示の実施形態に基づいて説明したが、本発明はこれに限定されるものではなく、各部の構成は、同様の機能を有する任意の構成のものに置き換えることができる。
【００２５】
例えば、上記した実施形態では、４つの計器１〜４が有する文字盤１２を傾斜させることにより、互いに隣り合う文字盤１６どうしを重複させる構成としたが、奥行き方向の長さに余裕がある場合には、４つの計器１〜４の各文字盤１６を前後方向にずらした位置で、互いに平行に配置することにより、隣合う文字盤１６どうしを重複させる構成とすることも可能である。
【産業上の利用可能性】
【００２６】
車両のインパネに設けられる各種の計器の視認性を向上させる上で極めて有用である。
【図面の簡単な説明】
【００２７】
【図１】本発明の一実施形態に係る車両用表示装置の構成を示す正面図である。
【図２】本発明の一実施形態に係る車両用表示装置の構成を示す上面図である。
【図３】本発明の一実施形態に係る車両用表示装置の構成を示す下面図である。
【図４】本発明の一実施形態に係る車両用表示装置の構成を示す側面図である。
【符号の説明】
【００２８】
１  速度計
２  タコメータ
３  燃料計
４  温度計
１１  指針
１２  アクリル板（導光板）
１２ａ  周面部
１２ｂ  平面部
１３  意匠表示板
１４  ＬＥＤ（照明手段）
１５  取り付け板
１６  文字盤
１ａ〜４ａ  周囲部
【図１】
2006007854.tif 000003
【図２】
2006007854.tif 000004
【図３】
2006007854.tif 000005
【図４】
2006007854.tif 000006